(57)【要約】【課題】  蓋体を容器本体に対する閉鎖状態から開放させる場合、蓋体の嵌合部を容器本体のフランジ部への外嵌状態から簡単に離脱させることができて、蓋体を片手操作で容易に開放させることができる容器を提供する。【解決手段】  容器１１を、開口周縁にフランジ部１４を有する合成樹脂シート製の容器本体１２と、外周縁に容器本体１２のフランジ部１４に外嵌可能な嵌合部１５を有する合成樹脂シート製の蓋体１３とから構成する。蓋体１３の嵌合部１５の外周には、フランジ部１４の上面との接合箇所を支点として、そのフランジ部１４から離間する方向に屈曲可能な膨出部１６を外方に向かって膨出するように形成する。【選択図】      図１
2005247320.tif 000002
【特許請求の範囲】
【請求項１】
上面を開口した合成樹脂シート製の容器本体と、その容器本体に開閉可能に設けられ、容器本体に対する閉鎖状態で容器本体の開口縁に外嵌可能な嵌合部を外周縁に有する合成樹脂シート製の蓋体とを備えた容器において、
前記蓋体の嵌合部には容器本体の開口縁から離間する方向に屈曲可能な屈曲部を形成した容器。
【請求項２】
容器本体に開口縁にはフランジ部が形成され、蓋体の嵌合部が前記フランジ部に嵌合されるようにした請求項１に記載の容器。
【請求項３】
前記屈曲部は、外方へ向かって膨らむ膨出部を含むものである請求項１または２に記載の記載の容器。
【請求項４】
前記膨出部は、全体の輪郭がほぼ球殻状をなす請求項３に記載の容器。
【請求項５】
前記膨出部の外面には、その内部空間に向かって突出する窪み部を設けた請求項３または請求項４に記載の容器。
【請求項６】
前記膨出部の蓋体中央部側には、その膨出部より小さい小膨出部を形成した請求項３〜請求項５のうちのいずれか一項に記載の容器。
【請求項７】
前記膨出部に近接して、膨出部よりも蓋体中心側には、ノッチ状の凹部を形成した請求項３〜請求項６のうちのいずれか一項に記載の容器。
【請求項８】
前記凹部は小膨出部に近接している請求項７に記載の容器。
【請求項９】
前記屈曲部は、フランジ部の上面位置あるいはその近傍位置の部分を支点として屈曲されるようにした請求項１〜８のうちのいずれか一項に記載の容器。
【発明の詳細な説明】
【技術分野】
【０００１】
この発明は、例えば食品マーケット等において、惣菜等の収容物を収容するのに使用される容器に関するものである。
【背景技術】
【０００２】
従来、この種の容器としては、例えば、合成樹脂シート製の容器本体の開口部に、合成樹脂シート製の蓋体を脱着開閉可能に取り付けるように構成したものが知られている。このような容器では、容器本体内に惣菜等の収容物を収容して、容器本体の開口部に蓋体を被覆装着したとき、蓋体を閉鎖位置に密封状態で確実に止着する必要がある。このため、この種の容器においては、容器本体の開口周縁にフランジ部が形成されるとともに、蓋体の外周縁に嵌合部が形成され、容器本体に対する蓋体の閉鎖状態で、嵌合部がフランジ部に外嵌されるようになっている。
【発明の開示】
【発明が解決しようとする課題】
【０００３】
ところが、この種の従来の容器においては、蓋体を閉鎖状態から開放させる場合、蓋体の嵌合部が容器本体のフランジ部に対して比較的強固に外嵌されているため、片手操作にて、この嵌合部をフランジ部から離脱させて蓋体を開放させるのが困難であるという問題があった。
【０００４】
この発明は、このような従来の技術に存在する問題点に着目してなされたものである。その目的は、蓋体を容器本体に対する閉鎖状態から開放させる場合、蓋体の嵌合部を、片手操作にて、容器本体のフランジ部への外嵌状態から簡単に離脱させることができて、蓋体を容易に開放させることができる容器を提供することにある。
【課題を解決するための手段】
【０００５】
上記の目的を達成するために、請求項１に記載の発明は、上面を開口した合成樹脂シート製の容器本体と、その容器本体に開閉可能に設けられ、容器本体に対する閉鎖状態で容器本体の開口縁に外嵌可能な嵌合部を外周縁に有する合成樹脂シート製の蓋体とを備えた容器において、前記蓋体の嵌合部には容器本体の開口縁から離間する方向に屈曲可能な屈曲部を形成したものである。
【０００６】
請求項２に記載の発明は、請求項１に記載の発明において、容器本体に開口縁にはフランジ部が形成され、蓋体の嵌合部が前記フランジ部に嵌合されるようにしたものである。
請求項３に記載の発明は、請求項１または２に記載の発明において、前記屈曲部は、外方へ向かって膨らむ膨出部を含むものである。
【０００７】
請求項４に記載の発明は、請求項３に記載の発明において、前記膨出部は、全体の輪郭がほぼ球殻状をなすものである。
請求項５に記載の発明は、請求項３または請求項４に記載の発明において、前記膨出部の外面には、その内部空間に向かって突出する窪み部を設けたものである。
【０００８】
請求項６に記載の発明は、請求項３〜請求項５のうちのいずれか一項に記載の発明において、前記膨出部の蓋体中央部側には、その膨出部より小さい小膨出部を形成したものである。
【０００９】
請求項７に記載の発明は、請求項３〜請求項６のうちのいずれか一項に記載の発明において、前記膨出部に近接して、膨出部よりも蓋体中心側には、ノッチ状の凹部を形成したものである。
【００１０】
請求項８に記載の発明は、請求項６に記載の発明において、前記凹部は小膨出部に近接しているものである。
請求項９に記載の発明は、請求項１〜８のうちのいずれか一項に記載の発明において、前記屈曲部は、フランジ部の上面位置あるいはその近傍位置の部分を支点として屈曲されるようにしたものである。
【００１１】
（作用）
この発明においては、蓋体を容器本体に対する閉鎖状態から開放させる場合、蓋体の嵌合部の外周に形成された屈曲部をフランジ部から離間する方向に屈曲させると、嵌合部をフランジ部に対する外嵌状態から簡単に離脱されることができる。よって、蓋体を閉鎖状態から至極容易に開放させることができる。
【００１２】
また、屈曲部が外方へ向かって膨らむ膨出部から構成するとともに、その膨出部の輪郭をほぼ球殻状にすれば、蓋体を開放させる際に、屈曲部をフランジ部から離間する方向へ容易かつ確実に屈曲変形させることができるとともに、膨出部の変形を抑制できる。
【００１３】
さらに、屈曲部を構成する膨出部の外面に窪み部を設ければ、屈曲部の剛性を向上させて補強することができるとともに、意図しない変形を防止して、外観を向上できる。
加えて、膨出部の蓋体中央部側に、その膨出部より小さい小膨出部を形成すれば、その小膨出部の外周縁を境にして蓋体が屈曲される。
【００１４】
さらに、膨出部あるいは小膨出部に近接して、蓋体中心側に、ノッチ状の凹部を形成すれば、ノッチと小膨出部との間を境にして蓋体が屈曲される。
【発明の効果】
【００１５】
以上のように、この発明によれば、蓋体を容器本体に対する閉鎖状態から開放させる場合、蓋体の嵌合部を容器本体のフランジ部への外嵌状態から簡単に離脱させることができて、蓋体を片手操作で容易に開放させることができる。
【発明を実施するための最良の形態】
【００１６】
（第１実施形態）
以下に、この発明の第１実施形態を、図１〜図３に基づいて説明する。
図１及び図２に示すように、この実施形態の容器１１は、ポリプロピレン、ポリスチレン、ポリエチレン、ポリエチレン・テレフタレート等の合成樹脂シートよりなる上面を開口したほぼ椀状の容器本体１２と、その容器本体１２と同じ材質または異なる材質の合成樹脂シートよりなるほぼ円板状の蓋体１３とから構成されている。そして、この蓋体１３が容器本体１２の開口部に脱着開閉可能に取り付けられて、容器本体１２の開口部が閉鎖されるようになっている。
【００１７】
前記容器本体１２の開口周縁には断面ほぼ横Ｌ字状のフランジ部１４が一体に突出形成され、そのフランジ部１４の周壁外面には環状の係合凹部１４ａが下方へ向かって折り曲げ形成されている。蓋体１３の外周縁には嵌合部１５が形成され、その嵌合部１５は、前記容器本体１２のフランジ部１４の上面に対向する環状段差部１５ｂと、その環状段差部１５ｂの外周部分から下方へ向かって折り曲げ形成された環状の係合突部１５ａとなっている。そして、容器本体１２の開口部に蓋体１３を取り付けたとき、嵌合部１５がフランジ部１４に外嵌されて、環状段差部１５ｂがフランジ部１４の上面に接するとともに、係合突部１５ａが係合凹部１４ａに係合されて、蓋体１３が容器本体１２に対する閉鎖状態に所要の強度で止着保持されるようになっている。
【００１８】
図１〜図３に示すように、前記蓋体１３の嵌合部１５の環状段差部１５ｂから係合突部１５ａにかけて蓋体１３の周壁外面には、屈曲部としての膨出部１６が外方へ向かって膨らむように形成されている。この膨出部１６は全体の輪郭がほぼ球殻状をなすように形成され、その外面の両側には一対の窪み部１６ａが内部空間側に向かって突出するように形成されている。膨出部１６の下端両側縁と嵌合部１５の周壁下端縁との間には、平面ほぼ三角形状の一対のヒレ部１７が接続形成されている。
【００１９】
そして、図３に鎖線で示すように、蓋体１３を容器本体１２に対する閉鎖状態から開放させるとき、この膨出部１６を上方へつまみ上げれば、膨出部１６の後部側において環状段差部１５ｂがフランジ部１４の上面の上面位置あるいはその近傍位置の部分を支点Ｐとして、そのフランジ部１４から離間する方向へ屈曲変形させる。これにより、ヒレ部１７を介して嵌合部１５がフランジ部１４の上面から持ち上げられ、そのフランジ部１４に対する外嵌状態から離脱されるようになっている。
【００２０】
次に、前記のように構成された容器１１の作用を説明する。
さて、この容器１１に惣菜等の収容物を収容する場合には、図１に示すように、容器本体１２の開口部を開放した状態で、その容器本体１２内に収容物を収容する。その後、蓋体１３を容器本体１２の開口部に被着すると、蓋体１３の嵌合部１５が容器本体１２のフランジ部１４に外嵌されるとともに、係合突部１５ａが係合凹部１４ａに係合されて、蓋体１３が容器本体１２に対する閉鎖位置にほぼ密封状態で所要の強度で止着される。
【００２１】
そして、蓋体１３を閉鎖状態から開放させて、惣菜等の収容物を取り出す場合には、図３に鎖線で示すように、蓋体１３の外周の膨出部１６をつまみ上げれば、蓋体１３の嵌合部１５がフランジ部１４の上面位置あるいはその近傍位置の部分を支点Ｐとして、フランジ部１４から離間する上方に向かって屈曲変形させる。すると、ヒレ部１７を介して嵌合部１５の手前側がフランジ部１４の上面から持ち上げられ、デッドポイントを越えてその持ち上げ位置に保持され、係合凹部１４ａを含むフランジ部１４に対する外嵌状態から離脱される。よって、この状態で膨出部１６やヒレ部１７を持って、蓋体１３を容器本体１２上から容易に取り外して、容器本体１２の開口部を開放させることができる。
【００２２】
以上のように、膨出部１６を上方へ屈曲させるのみで蓋体１３を開放可能な状態にすることができ、蓋体１３の開放操作を片手で、かつワンタッチで行うことが可能になる。
なお、この実施形態では、膨出部１６に一対の窪み部１６ａが形成されているため、その窪み部１６ａを持って、蓋体１３を開放することが可能である。また、窪み部１６ａにより膨出部１６の剛性を向上できる。
【００２３】
（第２実施形態）
次に、この発明の第２実施形態を、前記第１実施形態と異なる部分を中心にして説明する。
【００２４】
さて、この第２実施形態の容器１１では、図４に示すように、容器本体１２が上面を開口した四角箱形に形成されるとともに、蓋体１３が平面四角状に形成されている。そして、蓋体１３の嵌合部１５の１つの隅角部に屈曲部としての膨出部１６が形成され、蓋体１３を閉鎖状態から開放させるとき、この膨出部１６を容器本体１２のフランジ部１４から離間する方向に屈曲させるようになっている。
【００２５】
従って、この第２実施形態においても、前記第１実施形態の場合と同様に、蓋体１３の嵌合部１５を容器本体１２のフランジ部１４に対する外嵌状態から簡単に離脱させることができて、片手操作で、蓋体１３を容器本体１２に対する閉鎖状態から容易に開放させることができる。
【００２６】
（第３実施形態）
次に、この発明の第３実施形態を第１実施形態と異なる部分を中心に説明する。
すなわち、図５〜図８に示すように、この第３実施形態においては、膨出部１６の窪み部１６ａは、大きめのものが一つ形成されているだけであって、その窪み部１６ａが同膨出部１６の前面に形成されている。また、膨出部１６の後部側に位置する頂部には、その頂部よりさらに高い頂部を有する小膨出部３１が形成されている。
【００２７】
さらに、前記小膨出部３１と近接して、蓋体１３の環状段差部１５ｂには、ノッチ状の凹部３２が形成されている。
従って、この実施形態においては、膨出部１６の部分をつまんで図６及び図７の矢印Ｑ方向に向かって上向き方向への力を加えると、前記凹部３２の内奥部３２ａと、小膨出部３１の後縁３１ａとに集中応力が発生して、その内奥部３２ａ及び後縁３１ａを含むそれらの間の部分において蓋体１３のヒレ部１７が膨出部１６の部分を中心に上方へ屈曲して容器本体１２から浮き上がる。この場合、蓋体１３は、凹部３２の内奥部３２ａと、小膨出部３１の後縁３１ａとの間の部分を境にして左右にも屈曲される。
【００２８】
このため、この第３実施形態においては、片手操作による蓋体１３の開放をいっそう確実に行うことができる。
（変更例）
なお、この実施形態は、次のように変更して具体化することも可能である。
【００２９】
・  前記各実施形態において、容器本体１２及び蓋体１３が大径の場合、蓋体１３の嵌合部１５の外周に複数の膨出部１６を相互間隔をおいて形成して、嵌合部１５を任意の複数箇所にてフランジ部１４に対する外嵌状態から離脱させるように構成すること。
【００３０】
・  前記各実施形態において、容器本体１２の外周にヒンジ部を介して蓋体１３を一体に連結形成し、蓋体１３のヒンジ部と反対側の外周に膨出部１６を形成すること。
・  前記各実施形態において、膨出部１６の外面中央に１つの窪み部１６ａを形成すること。このようにすれば、窪み部１６ａの剛性を向上できる。
【００３１】
・  前記各実施形態において、膨出部１６の両側のヒレ部１７を省略すること。
・  容器本体１２を前述した第２実施形態の四角形の他、五角形、六角形、八角形等、各種の多角形にすること。この場合、膨出部１６の位置は、コーナ部及び辺のいずれでもよい。
【図面の簡単な説明】
【００３２】
【図１】第１実施形態の容器を示す分解斜視図。
【図２】図１の容器の容器本体に蓋体を閉鎖した状態を示す断面図。
【図３】図２の一部を拡大して示す部分断面図。
【図４】第２実施形態の容器を示す斜視図。
【図５】第３実施形態を示す蓋体の一部平面図。
【図６】同じく一部斜視図。
【図７】同じく一部断面図。
【図８】蓋体を開放操作した状態を示す一部断面図。
【符号の説明】
【００３３】
１１…容器、１２…容器本体、１３…蓋体、１４…フランジ部、１５…嵌合部、１５ａ…係合突部、１５ｂ…環状段差部、１６…屈曲部としての膨出部、１６ａ…窪み部、３１…小膨出部、３２…凹部、Ｐ…支点。
【図１】
2005247320.tif 000003
【図２】
2005247320.tif 000004
【図３】
2005247320.tif 000005
【図４】
2005247320.tif 000006
【図５】
2005247320.tif 000007
【図６】
2005247320.tif 000008
【図７】
2005247320.tif 000009
【図８】
2005247320.tif 000010